【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
ＶＨＦ／ＵＨＦ（超短波周波数／極超短波周波数）帯域内のユーザーデータを、ローカルエリアネットワーク（ＬＡＮ）を介して送信する方法であって、
前記ＶＨＦ／ＵＨＦ帯域内において、前記ＬＡＮの動作領域内で利用可能なホワイトスペース帯域Ｂｗｓを識別することであって、前記ホワイトスペース帯域が３つの連続する未使用のＴＶチャンネルの帯域を表すことと、
前記ユーザーデータからベースバンドＷｉＦｉ  ＯＦＤＭ（直交周波数分割多重）信号を生成することと、
変更済みＷｉＦｉ  ＯＦＤＭ信号の帯域幅を前記ホワイトスペース帯域内に制限するように適合され、かつ、任意の隣接するＴＶチャンネルの性能を不変に維持するために、前記ホワイトスペース帯域の端で前記変更済みＷｉＦｉ  ＯＦＤＭ信号を減衰させるように適合された送信スペクトルマスクを用いて、前記ベースバンドＷｉＦｉ  ＯＦＤＭ信号を前記変更済みＯＦＤＭ信号に再構成することと、
前記ホワイトスペース帯域を介して前記変更済みＷｉＦｉ  ＯＦＤＭ信号を送信することと、
を含む、方法。
【請求項２】
前記ホワイトスペース帯域が、５４ＭＨｚ〜６９８ＭＨｚの間でデジタルＴＶに割り当てられているスペクトル部分において、中心周波数Ｆｃ周辺でＢｗｓの帯域にわたる、請求項１に記載の方法。
【請求項３】
前記ホワイトスペース帯域が整数個の連続する未使用のＴＶチャンネルにわたる、請求項１に記載の方法。
【請求項４】
前記Ｂｗｓが１８ＭＨｚである、請求項１に記載の方法。
【請求項５】
デジタルＴＶチャンネル２〜４用に予約されている帯域内において前記変更済みＷｉＦｉ  ＯＦＤＭ信号が有効に占有する帯域が１６．２５ＭＨｚである、請求項１に記載の方法。
【請求項６】
デジタルＴＶチャンネル５〜５１のうちの連続するいずれか３つのＴＶチャンネル用に予約されている帯域内において前記変更済みＷｉＦｉ  ＯＦＤＭ信号が有効に占有する帯域が１３ＭＨｚである、請求項１に記載の方法。
【請求項７】
前記変更済みＷｉＦｉ  ＯＦＤＭ信号が、前記ホワイトスペース帯域において４８個のデータキャリアで変調されるとともに４つのパイロットキャリアを使用する、請求項１に記載の方法。
【請求項８】
前記変更済み送信スペクトルマスクが、前記変更済みＷｉＦｉ  ＯＦＤＭ信号のための最大振幅を確保できるように中心周波数Ｆｃ周辺に１８ＭＨｚの平坦域を持ち、かつ、前記変更済みＷｉＦｉ  ＯＦＤＭ信号を前記平坦域の端から６ＭＨｚにわたり−９９ｄＢまで減衰させる、請求項４に記載の方法。
【請求項９】
前記変更済み通信スペクトルマスクで提示された減衰が、前記平坦域の端から５００ｋＨｚにわたり−３６ｄＢの急激な減衰を含む、請求項８に記載の方法。
【請求項１０】
前記変更済み送信スペクトルマスクが、前記変更済みＷｉＦｉ  ＯＦＤＭ信号が占有する有効なスペクトルが１３ＭＨｚになるように構成されている、請求項４に記載の方法。
【請求項１１】
前記再構成ステップおよび前記送信ステップが、前記変更済みＷｉＦｉ  ＯＦＤＭ信号用のシンボル持続時間が有用なシンボル持続時間としての４μｓおよび保護間隔持続時間としての１μｓを含む５μｓになるように実行される、請求項４に記載の方法。
【請求項１２】
前記変更済みＷｉＦｉ  ＯＦＤＭ信号用の送信ステップにおけるサブキャリア間隔が２５０ｋＨｚである、請求項４に記載の方法。
【請求項１３】
前記変更済みＷｉＦｉ  ＯＦＤＭ信号用の送信ステップにおけるデータ転送速度が４３．２Ｍｂｐｓである、請求項４に記載の方法。
【請求項１４】
前記変更済み送信スペクトルマスクが、前記変更済みＷｉＦｉ  ＯＦＤＭ信号のために最大振幅が確保できるように６３ＭＨｚの中心周波数周辺に５４ＭＨｚ〜７２ＭＨｚの間で１８ＭＨｚの平坦域を持ち、かつ、前記変更済みＷｉＦｉ  ＯＦＤＭ信号を前記平坦域の端から６ＭＨｚにわたり−９９ｄＢまで減衰させる、請求項６に記載の方法。
【請求項１５】
前記変更済み送信スペクトルマスクで提示された前記減衰が、前記平坦域の端から５００ｋＨｚにわたり−３６ｄｂの急激な減衰を含む、請求項１４に記載の方法。
【請求項１６】
前記変更済みＷｉＦｉ  ＯＦＤＭ信号が占有する前記変更済み送信スペクトルマスクの有効なスペクトルが１６．２５ＭＨｚである、請求項６に記載の方法。
【請求項１７】
前記変更済みＷｉＦｉ  ＯＦＤＭ信号用の前記変更済み送信スペクトルマスクの前記シンボル持続時間が、有用な信号持続時間としての３．２μｓおよび保護間隔持続時間としての０．８μｓを含む４μｓである、請求項６に記載の方法。
【請求項１８】
前記変更済みＷｉＦｉ  ＯＦＤＭ信号用の前記変更済み送信スペクトルマスクのサブキャリア間隔が３１２．５ｋＨｚである、請求項６に記載の方法。
【請求項１９】
前記変更済みＷｉＦｉ  ＯＦＤＭ信号のデータ転送速度が５４Ｍｂｓである、請求項６に記載の方法。
【請求項２０】
ＶＨＦ／ＵＨＦ（超短波周波数／極超短波周波数）スペクトルにおけるホワイトスペース帯域Ｂｗｓ内においてローカルエリアネットワーク（ＬＡＮ）を介してユーザーデータを送信する送信機であって、そこで、前記帯域Ｂｗｓが、ＴＶ信号の送信用に前記ＬＡＮの動作領域内において現在使用されておらず、
前記ユーザーデータからベースバンドＷｉＦｉ  ＯＦＤＭ（直交周波数分割多重）信号を生成するベースバンド発生器と、
変更済みＷｉＦｉ  ＯＦＤＭ信号の帯域幅を前記ホワイトスペース帯域内に制限し、かつ、任意の隣接するＴＶチャンネルの性能を不変に維持するために、前記ホワイトスペース帯域の端で前記変更済みＷｉＦｉ  ＯＦＤＭ信号を減衰させるように適合された送信スペクトルマスクを用いて、前記ベースバンドＷｉＦｉ  ＯＦＤＭ信号を前記変更済みＷｉＦｉ  ＯＦＤＭ信号に再構成する周波数変換器であって、前記ホワイトスペース帯域が３つの連続する未使用のＴＶチャンネルの帯域である、周波数変換器と、
前記ホワイトスペース帯域を介して前記変更済みＷｉＦｉ  ＯＦＤＭ信号を送信する送信機と、
を備える、送信機。
【請求項２１】
前記ホワイトスペース帯域が、５４ＭＨｚ〜６９８ＭＨｚの間でデジタルＴＶに対して割り当てられているスペクトル部分において、中心周波数Ｆｃ周辺で１８ＭＨｚにわたる、請求項２０に記載の送信機。
【請求項２２】
デジタルＴＶチャンネル２〜４用に予約されている帯域において前記変更済みＷｉＦｉ  ＯＦＤＭ信号が有効に占有する帯域が１６．２５ＭＨｚである、請求項２１に記載の送信機。
【請求項２３】
デジタルＴＶチャンネル５〜５１のうちの連続するいずれか３つのＴＶチャンネル用に予約されている帯域内において前記変更済みＷｉＦｉ  ＯＦＤＭ信号が有効に占有する帯域が１３ＭＨｚである、請求項２０に記載の送信機。
【請求項２４】
前記変更済みＷｉＦｉ  ＯＦＤＭ信号が、前記ホワイトスペース帯域において４８個のデータキャリアで変調されるとともに４つのパイロットキャリアを使用する、請求項２０に記載の送信機。
【請求項２５】
前記変更済み送信スペクトルマスクが、前記変更済みＷｉＦｉ  ＯＦＤＭ信号のために最大振幅を確保できるように中心周波数Ｆｃ周辺に１８ＭＨｚの平坦域を持ち、かつ、前記変更済みＷｉＦｉ  ＯＦＤＭ信号を平坦域の端から６ＭＨｚにわたり−９９ｄＢまで減衰させる、請求項２１に記載の送信機。
【請求項２６】
前記変更済み通信スペクトルマスクで提示された減衰が、前記平坦域の端から５００ｋＨｚにわたり−３６ｄＢの急激な減衰を含む、請求項２５に記載の送信機。
【請求項２７】
前記変更済みＷｉＦｉ  ＯＦＤＭ信号が占有する前記変更済み送信スペクトルマスクの有効なスペクトルが１３ＭＨｚである、請求項２１に記載の送信機。
【請求項２８】
前記変更済みＷｉＦｉ  ＯＦＤＭ信号用の前記変更済み送信スペクトルマスクのシンボル持続時間が、有用な信号持続時間としての４μｓおよび保護間隔持続時間としての１μｓを含む５μｓである、請求項２１に記載の送信機。
【請求項２９】
前記送信機が、前記変更済みＷｉＦｉ  ＯＦＤＭ信号用の前記変更済み送信スペクトルマスクのサブキャリア間隔を２５０ｋＨｚであるように設定する、請求項２１に記載の送信機。
【請求項３０】
前記送信機が、前記変更済みＷｉＦｉ  ＯＦＤＭ信号用のデータ転送速度を４３．２Ｍｂｐｓであるように設定する、請求項２１に記載の送信機。
【請求項３１】
前記変更済み送信スペクトルマスクが、前記変更済みＷｉＦｉ  ＯＦＤＭ信号のために最大振幅が確保できるように６３ＭＨｚの中心周波数周辺に５４ＭＨｚ〜７２ＭＨｚの間で１８ＭＨｚの平坦域を持ち、かつ、前記変更済みＷｉＦｉ  ＯＦＤＭ信号を前記平坦域の端から６ＭＨｚにわたり−９９ｄＢまで減衰させる、請求項２２に記載の送信機。
【請求項３２】
前記変更済み送信スペクトルマスクで提示された前記減衰が、前記平坦域の端から５００ｋＨｚにわたり−３６ｄｂの急激な減衰を含む、請求項３１に記載の送信機。
【請求項３３】
前記変更済みＷｉＦｉ  ＯＦＤＭ信号が占有する前記変更済み送信スペクトルマスクの有効なスペクトルが１６．２５ＭＨｚである、請求項２２に記載の送信機。
【請求項３４】
前記変更済みＷｉＦｉ  ＯＦＤＭ信号用の前記変更済み送信スペクトルマスクの前記シンボル持続時間が、有用な信号持続時間としての３．２μｓおよび保護間隔持続時間としての０．８μｓを含む４μｓである、請求項２２に記載の送信機。
【請求項３５】
前記送信機が、前記変更済みＷｉＦｉ  ＯＦＤＭ信号用のサブキャリア間隔を３１２．５ｋＨｚであるように設定する、請求項２２に記載の送信機。
【請求項３６】
前記送信機が、前記変更済みＷｉＦｉ  ＯＦＤＭ信号用のデータ転送速度を５４Ｍｂｓであるように設定する、請求項２２に記載の送信機。